(57)【要約】  本発明は、高強度繊維（１１）で作られたコア（１２）と、このコア（１２）を囲む少なくとも１つの好ましくは鋼の金属ケーシング（１５）とを用いて製造される長手方向要素（１３）に関する。このようにすると、その強度に対して非常に軽量であるこれらの高強度繊維が、多数の方法で、すなわち湿気、水分、ＵＶ光、および他の環境の影響から保護されるという重要な利点がある。さらに、金属ケーシングは、横荷重から繊維を保護する。このようにして、牽引または懸架手段のすべての高強度特性が持続期間にわたって維持される。
2020515726.tif 000002
【特許請求の範囲】
【請求項１】
高強度繊維（１１、２８、２９、３６、３７）を有するコア（１２、２６、２７、３３、３４）と前記コアを囲むケーシングとを用いて製造される、特に牽引および／または懸架手段のための長手方向要素において、前記長手方向要素（１３、２３、２４、３１、３２）が、少なくとも前記少なくとも１つのコア（１２、２６、２７、３３、３４）から製造され、前記囲むケーシングが、好ましくは鋼で作られた金属ケーシング（１５、２５、３５、３８、３９）として製造されることを特徴とする長手方向要素。
【請求項２】
例えばゲルおよび／もしくは接着剤、バンデージ、またはこれらの混合物などの好ましくは保護または荷重回避用の充填層（１４）が、前記コア（１２、２６、２７、３３、３４）と前記金属ケーシング（１５、２５、３５、３８、３９）との間および／または前記長手方向要素（１３、２３、２４、３１、３２）のそれぞれの前記コア内に挿入されることを特徴とする、請求項１に記載の長手方向要素。
【請求項３】
前記長手方向要素（１６）が、複数の高強度繊維（１１）を有するコア（１２）と、前記コア（１２）を囲む少なくとも１つの充填層（１８）と、複合層（１９）と、前記複合層（１９）を囲む前記金属ケーシング（１５）とから形成されることを特徴とする、請求項１または２に記載の長手方向要素。
【請求項４】
気体、ＵＶ放射、および／または水に関して不透過性である層が、前記繊維（１１、２８、２９、３６、３７）に対して形成されるように、前記金属ケーシング（１５、２５、３５、３８、３９）が、前記コア（１２、２６、２７、２３、３３、３４）の外周に取り付けられ、前記金属ケーシングに特定の曲げ強度またはたわみ強度が与えられることを特徴とする、請求項１から３のいずれか一項に記載の長手方向要素。
【請求項５】
前記コアの周囲に配置されるか、または前記コアに巻き付けられる少なくとも１つの金属テープが、前記金属ケーシング（１５）のために用意され、前記テープが、縁部が互いに重なり合うか、または当接するときに溶接、接着、または同様の接続によって接続されることを特徴とする、請求項１から４のいずれか一項に記載の長手方向要素。
【請求項６】
前記高強度繊維（１１、２８、２９、３６、３７）がそれぞれ、一本のものとして前記長手方向要素（１３、２３、２４、３１、３２）の全体にわたって延在し、そこでは真っ直ぐな、撚られたまたは他の種類の経路を有することを特徴とする、請求項１から５のいずれか一項に記載の長手方向要素。
【請求項７】
前記高強度繊維（１１、２８、２９、３６、３７）が、アラミドなどのプラスチック、玄武岩、および／または炭素などで作られていることを特徴とする、請求項１から６のいずれか一項に記載の長手方向要素。
【請求項８】
前記高強度繊維（１１、２８、２９、３６、３７）が、好ましくは２５００Ｎ／ｍｍ２超の引張強度の鋼繊維（スチールコード）から少なくとも部分的に製造されることを特徴とする、請求項１から６のいずれか一項に記載の長手方向要素。
【請求項９】
前記高強度繊維（１１、２８、２９、３６、３７）から形成された前記コア（１２、２６、２７、２３、３３、３４）が、好ましくは１．５〜８ｍｍの外径を有すると測定されることを特徴とする、請求項１から８のいずれか一項に記載の長手方向要素。
【請求項１０】
前記金属ケーシング（１５、２５、３５、３８、３９）の壁厚が、好ましくは０．１〜１．０ｍｍであり、パイプとして設計され得ることを特徴とする、請求項１〜９のいずれか一項に記載の長手方向要素。
【請求項１１】
前記金属ケーシング（１５、２５、３５、３８）が、円筒形または他の形状の外面を有し、前記コアを１つ以上の層で覆うことを特徴とする、請求項１から１０のいずれか一項に記載の長手方向要素。
【請求項１２】
損傷および／または疲労によって生じる変化を認識するために、光学的または電気的測定要素が、前記コア内または前記金属ケーシングと前記コアとの間に存在することを特徴とする、請求項１から１１のいずれか一項に記載の長手方向要素。
【請求項１３】
前記長手方向要素の２つの端部のそれぞれにおいて、前記ワイヤ形状の長手方向要素（１５、２５、３５、３８、９８）が、その中の前記高強度繊維が特に水分および水から保護されるようにするために閉鎖手段によって閉鎖されることを特徴とする、請求項１から１２のいずれか１項に記載の長手方向要素。
【請求項１４】
前記長手方向要素（２３、２４、３１、３２）が、牽引および／または懸架手段、特に螺旋ロープ、撚りロープ、またはダブルヘッドコードに使用することができ、前記牽引または懸架手段が、好ましくは完全に前記長手方向要素から製造されることを特徴とする、請求項１から１３のいずれか一項に記載の長手方向要素。
【請求項１５】
前記長手方向要素（５６、６４、７４）が、牽引および／または懸架手段、特に通信ケーブル（５０）、電気ケーブル（６０、７０）、または一体化された電線を有するケーブルに使用することができ、好ましくは多数の長手方向要素（５６、６４、７４）が、前記牽引または懸架手段に一体化されるか、またはその外側の周囲にストランドとして配置されることを特徴とする、請求項１から１３のいずれか一項に記載の長手方向要素。
【請求項１６】
前記長手方向要素（８１、８２、９８）が、牽引および／または懸架手段、好ましくは保護、安全、水産養殖、または建築の分野のための特に網（８０、９０）に使用することができ、前記網（８０、９０）が、好ましくは完全に前記長手方向要素（８１、８２、９８）から製造されることを特徴とする、請求項１から１３のいずれか一項に記載の長手方向要素。
【請求項１７】
前記網（９０）が、連結リング（９７）から構成され、前記リング（９７）がそれぞれ、高強度繊維（９４）で作られたコアおよび金属ケーシング（９９）を有する、複数回巻かれた少なくとも１つのワイヤ形状の長手方向要素（９８）から製造されることを特徴とする、請求項１６に記載の長手方向要素。
【請求項１８】
前記金属ケーシング（９９）がそれぞれ、溶接シーム（９９’）が前記巻かれた長手方向要素（９８）に沿って連続的に前記リング（９７）の内側に位置するように配置されることを特徴とする、請求項１７に記載の長手方向要素。
【請求項１９】
前記網が、個々の長手方向要素（８１、８２）から編まれたか、または螺旋状に湾曲した長手方向要素（８１、８２）を折り重ねた網状製品（８０）として製造されることを特徴とする、請求項１６に記載の長手方向要素。
【請求項２０】
前記長手方向要素（４２、４３）が、牽引または懸架手段、好ましくは保護、安全、外装、または建築の分野のための特にグリッド（４０）に使用することができ、前記グリッドが、好ましくは完全に前記長手方向要素（４２、４３）から製造されることを特徴とする、請求項１から１３のいずれか一項に記載の長手方向要素。
【請求項２１】
前記長手方向要素（１３、２３、２４、３１、３２）のそれぞれが、円形状、Ｚ字形状、Ｉ字形状、楔形状、または他の形の断面を備えることを特徴とする、請求項１から２０のいずれか一項に記載の長手方向要素。
【請求項２２】
前記金属ケーシング（１５、２５、３５、３８、３９）、好ましくはその内側、および／または前記コアが表面粗面化されることを特徴とする、請求項１から２１のいずれか一項に記載の長手方向要素。
【発明の詳細な説明】
【技術分野】
【０００１】
本発明は、請求項１の前文に記載の、特に牽引または懸架手段のための長手方向要素に関する。
【背景技術】
【０００２】
引用文献の欧州特許出願公開第２１６５０１７号明細書におけるような組み合わされた線形状の牽引および／または懸架手段は、ねじられたモノフィラメント束または複数の穿孔されたモノフィラメント束から作られた高強度プラスチック繊維のコア線であって、鋼ワイヤストランドの外層を伴うように作られたコア線を開示している。モノフィラメント束は、直径を小さくしながら伸長され、特に織られたケーシングによってこの状態に保持される。これにより、荷重下でのコア線の伸長が減少して、線の鋼断面とプラスチック断面と間の荷重分布が改善される。
【０００３】
反対に、同じ意味で、コア線の伸長挙動と比較してストランド層の伸長挙動を近づけるために、線は、鋼ワイヤストランドが互いに間隔を空けて押し付けられる弾性プラスチックの中間層を有し、これにより、外層は荷重下で伸長して半径方向に収縮する。
【０００４】
このような組み合わされた線を作るには比較的費用がかかるし、それは、湿気、水分などの運用中の一般的な環境の影響から十分に保護されていない。
【０００５】
環状ネットまたはメッシュとして知られているネットは、耐引裂性および変形性が高いことで際立っているため、かなりの程度まで応力を加えることができる。引用文献の欧州特許第０９７９３２９号明細書によれば、このような保護ネットは、好ましくは落石保護のための、または地表層を固定するための、コイル形状の曲がった高強度鋼ワイヤから織られた、三次元構造を有する高強度ワイヤメッシュとして知られている。コイル形状の曲がったワイヤは、ワイヤメッシュのスロットの形状およびサイズを決定する２つの曲げ部間に螺旋の角度および長さを有する。
【先行技術文献】
【特許文献】
【０００６】
【特許文献１】欧州特許出願公開第２１６５０１７号明細書
【特許文献２】欧州特許第０９７９３２９号明細書
【発明の概要】
【発明が解決しようとする課題】
【０００７】
一方、本発明は、重量を最適化するワイヤで作られた長手方向要素と同様の特性を示すように、特に、異なる用途のための牽引または懸架手段のための長手方向要素を形成する問題に基づいており、それにより、それは、厳しい環境条件下でも完全にうまく機能しなければならない。
【課題を解決するための手段】
【０００８】
本発明によれば、この問題は、請求項１の特徴によって解決される。
【０００９】
ワイヤの代わりに、複数の高強度繊維のコアを用いて作られる長手方向要素はそれぞれ、このコアを囲む少なくとも１つの好ましくは鋼の金属ケーシングで作られる。
【００１０】
好適には、関係する長手方向要素の金属ケーシングは、これらの繊維に対して気密性、ＵＶを通さない、光および／または水不透過性の層を形成するようにコアの外周に取り付けられる。
【００１１】
これには、その強度に対して非常に軽いこれらの高強度繊維が、多くの点で、特に湿気、水分、ＵＶ光、および他の環境の影響から保護され、また金属ケーシングに結合されることによってほぼ同じ程度伸長するという大きな利点がある。金属ケーシングはまた、繊維を横荷重から保護し、これにより、牽引または懸架手段の高強度特性は全体として持続的に維持される。
【００１２】
ワイヤ形状の長手方向要素のこの実施形態の重要な利点の１つは、複数の用途に適していることである。
【００１３】
それらは、例えば、保護、安全、水産養殖、または建築の目的のためにネット、メッシュ、格子などの長手方向要素として使用されてもよい。
【００１４】
これらの長手方向要素は、特にケーブルカーの線および輸送における、螺旋ワイヤまたは撚りワイヤ、プレストレス線などの牽引または懸架手段にちょうど適している。これらの長手方向要素は、連続的線構造および持続的線構造（ｒｕｎｎｉｎｇ  ａｎｄ  ｓｔａｎｄｉｎｇ  ｌｉｎｅ  ｃｏｎｓｔｒｕｃｔｉｏｎｓ）の両方で使用されてもよい。
【００１５】
一方、これらの長手方向要素はまた、電気ケーブル、通信ケーブル、または通信線に使用されてもよく、これにより、それらは厳しい環境条件下でも永久的に完全に機能することを保証される。
【００１６】
好適には曲げ効果を同時に有しながら低重量での高い引張力および／または高度な耐環境性を必要とするこのようなワイヤ形状の長手方向要素の他の用途も本発明の範囲内で可能である。これらの長手方向要素は、互いに平行に配置して、すなわち編まれずに使用されてもよい。
【００１７】
本発明の範囲内の実施形態および他の利点は、以下の図面の助けを借りてより詳細に説明される。これらは以下のように示される。
【図面の簡単な説明】
【００１８】
【図１】断面を有する長手方向部分の斜視部分図である。
【図２】図１におけるような編まれた長手方向要素を有する螺旋線として作られた牽引および／または懸架手段の断面図である。
【図３】本発明におけるような編線として作られた牽引および／または懸架手段の断面図である。
【図４】本発明におけるようなシール線として作られた牽引および／または懸架手段の断面図である。
【図５】本発明におけるようなワイヤ形状の長手方向要素を有する通信線の断面図である。
【図６】本発明におけるようなワイヤ形状の長手方向要素を有する電気ケーブルの断面図である。
【図７】一体化されたワイヤ形状の長手方向要素を有する電気ケーブルの別の変形例の断面図である。
【図８】本発明におけるようなねじられた長手方向要素として織られたメッシュとして示されているネットの部分図である。
【図９】連結環状長手方向要素で作られた、保護区域用の安全ネットの部分図である。
【図１０】図９におけるような長手方向要素で作られたネットのリングの断面図である。
【図１１】本発明におけるような長手方向要素で作られたメッシュの部分図である。
【図１２】本発明におけるような長手方向要素の変形例の断面図である。
【発明を実施するための形態】
【００１９】
図１は、特に非常に大きな力であっても引張力および／または引張荷重を吸収することができる長手方向要素１３を示す。これは、以下の実施形態が示すように広範囲の用途で使用され得る。
【００２０】
本発明によれば、ワイヤとして作られたこの長手方向要素１３は、複数の高強度繊維１１のコア１２と、好ましくは鋼および／またはステンレス鋼で作られた、このコア１２を囲む金属ケーシング１５とを備える。
【００２１】
金属ケーシング１５は、繊維１１で形成されたコア１２の周囲に、長手方向要素１３の長手方向の範囲に沿って配置され、例えば、側縁の突き合わせ面で溶接シーム１５’によって保持される。
【００２２】
このように金属ケーシング１５を溶接することにより、これらの繊維１１に気密および水密コーティングが施され、これらはＵＶ光および大気からシールされ、それらの耐用年数が延長される一方で、実質的にそれらを経年劣化させることなくほぼ同じ強度が維持される。これは、金属ケーシングがステンレス鋼で作られる場合、さらに向上し得る。
【００２３】
金属ケーシング１５には、長手方向要素の適切な可撓性ならびに／または十分な衝撃および／もしくは圧力抵抗を達成するために特定の曲げおよび／または座屈強度が与えられる。
【００２４】
金属ケーシングには、その長手方向の範囲に沿って可変ケーシング断面が与えられてもよく、加えて、異なる種類の高強度繊維１１が、関係する特定の用途の異なる要件を満たす最適な設計を得るために使用されてもよい。
【００２５】
金属ケーシングは、第２のおよび／またはより多くのケーシング層からなっていてもよい。可変断面を実現するために、少なくとも第２のケーシング層が、特定の距離を含めて第１のケーシング層に適用されてもよい。
【００２６】
本発明のさらなる特徴は、金属ケーシング１５が円筒形の外面を有するように作られることである。もちろん、この外面は、必要に応じて異なる形状にされてもよい。
【００２７】
好適には、例えばゲルもしくは接着剤、バンデージ（ｂａｎｄａｇｉｎｇ）、またはこれらの混合物などの充填層１４が、関係するワイヤ状要素の金属ケーシング１５とコア１２との間に挿入されてもよい。用途に応じて、異なる硬度の充填層が、長手方向要素の異なる横荷重特性および引張特性を得るために使用されてもよい。これは、その横荷重強度を最適化するために用途に応じて異なる方法で、完成した長手方向要素で行われる取り付けの度合いを設計するために使用されてもよい。
【００２８】
金属ケーシングおよび／またはコアには、ほぼ均一な引張／伸長挙動を与えるために摩擦および／または接着によって繊維１１と金属ケーシング１５の内部とのより良好な接続をもたらすように表面粗さが与えられてもよい。
【００２９】
金属ケーシングは、好ましくは、繊維が挿入され得るチューブとして作ることができる。
【００３０】
金属ケーシングは、溶接、接着、もしくは同様の接続によって、またはそのようなものなしでも、重なり合うおよび／または当接する側縁で接合することができる少なくとも１つの金属ストリップをコアの周囲に巻き付けることによって同様に十分に作ることができる。金属ケーシングに適した材料は、亜鉛めっき鋼などの耐食性材料だけでなく、非腐食特性を有するアルミニウムまたは銅である。
【００３１】
高強度繊維は、２０００Ｎ／ｍｍ2を超える引張強度を有する、例えばアラミド繊維（Ｔｗａｒｏｎ  ２２００）などのプラスチック繊維および／または炭素繊維などの炭素繊維または玄武岩繊維で作られてもよい。もちろん、ＨＭＰＥおよび／または高弾性ポリエチレン繊維（Ｄｙｎｅｅｍａ）などの、同様の特性を有する他の材料を使用することができる。いわゆる玄武岩繊維ならびに／またはプラスチックおよび玄武岩もしくは別の鉱物添加物の混合物の繊維を使用することができる。繊維は、互いに平行に配置されてもよいし、ねじられてもよい。
【００３２】
高強度繊維の少なくとも一部は、好ましくは０．４ｍｍなどの非常に小さな直径と好ましくは２５００Ｎ／ｍｍ2を超える引張強度とを有する鋼繊維（スチールコード）で作ることもできるが、２０００Ｎ／ｍｍ2を超える引張強度を有する、繊維以外の材料も可能である。
【００３３】
高強度繊維、スチールコード、および／または他の材料で作られるコア１２は、通常のワイヤの直径にほぼ等しい好ましくは１．５から８ｍｍの外径を有するように寸法決めされる。金属ケーシングの壁厚は、好ましくは０．１から１．０ｍｍであり、その場合、これのために、８００Ｎ／ｍｍ2を超える鋼、好適には１０００Ｎ／ｍｍ2を超える強度を有する高強度鋼が使用される。
【００３４】
図２は、従来のように線にされた長手方向要素１３から構成された螺旋線１０を示す。このような螺旋線１０は、とりわけ、例えばエネルギーおよび／またはデータを防止、緩和、および／または伝達するために使用される防止線、信号線、または張力緩和線として適している。しかしながら、それはまた、支持線として、またはその上を走るケーブルカーのキャビン用の線として使用されてもよい。
【００３５】
それはまた、好適には、特に、長手方向要素１３が撚り合わされることなく互いに隣接して配置されるか、またはわずかにしか巻かれない屋根構造などの静的構造のためのプレストレスストランドとして使用することができる。
【００３６】
本発明によれば、ワイヤとして作られる長手方向要素１３は、いずれの場合も、複数の高強度繊維１１のコア１２と、このコア１２を囲む少なくとも１つの金属ケーシング、好ましくは鋼ケーシングとで作られる。
【００３７】
図３は、プラスチックコア２２に巻き付けられた複数のストランド２１を備える牽引または懸架手段としての編線２０を示す。
【００３８】
本発明によれば、個々のストランド２１は、複数の高強度繊維２８、２９のコア２６、２７と、このコア２６、２７を囲む好ましくは鋼の少なくとも１つの金属ケーシング２５、３５とでそれぞれが作られるワイヤ状の長手方向要素２３、２４を巻くことによって作られる。
【００３９】
それ以外の場合、これらの長手方向要素２３、２４は、図１および／または図２のものと同じ方法で作られ、したがって、これ以上詳しくは扱わない。
【００４０】
好適には、編部２１のすべての長手方向要素２３、２４は、本発明におけるように作られるが、最も内側のものなど、個々の長手方向要素はまた鋼ワイヤで作られてもよい。
【００４１】
図４は、内側の長手方向要素３２が丸い断面を有する一方で外周または他の追加の層の長手方向要素３１がＺ字形状（断面）を有する既知の手段によって提供される牽引または懸架手段としてのシール螺旋線３０を示す。
【００４２】
本発明によれば、これらのＺ字形状の長手方向要素３１および内側の長手方向要素３２も同様に、いずれの場合も、複数の繊維３６、３７のコア３３、３４と、このコア１２を取り囲む少なくとも１つの金属、好ましくは鋼のケーシング３８、３９とで作られ、これらの繊維３６、３７は、１つの長手方向要素についてのみ示されているが、好適にはすべてがこのように作られる。
【００４３】
本発明の特定の特徴として、これらのＺ字形状の長手方向要素３１はそれぞれ、繊維３６を有するこのほぼＺ字形状のコア３３を収容する適切な形状の金属ケーシング３９を有するように作られる。これらのＺ字形状の代わりに、Ｉ字形状、楔形状、または他の形状の長手方向要素が使用されてもよい。
【００４４】
金属ケーシングは、好適には、ステンレス鋼などの耐食性材料で作られるかまたはコーティングされる。ただし、これはまた、２つ以上の層で作られてもよい。
【００４５】
鋼ケーシングの外周は、ワイヤおよび／またはストランドなどのための適切な開口を有するように作ることができる。
【００４６】
また、金属ケーシング内に、その剛性を高める連続したブレースまたは相次いで配置される複数のブレースなどを配置することができる。個々の長手方向要素の表面は、互いに相互作用するように表面の設計および／または粗さに関して最適化することができる。
【００４７】
高強度繊維のコアの表面は、ケーシングと接触する繊維への過大な荷重は生じないがコアがＥの係数（ｍｏｄｕｌｕｓ  ｏｆ  Ｅ）および強度の点でケーシングと最適に接続されるように作られるべきである。
【００４８】
図５は、編部により多層の導体５１、５２、５３からそれ自体従来の方法で作られた通信線５０の断面図を示す。個々の導体５１、５２、５３は、いずれの場合も、絶縁ケーシングに囲まれた個々のワイヤまたはワイヤストランドで作られてもよい。少なくとも１つの導体５４も、通信目的などのために提供される線５０の内層と一体化される。
【００４９】
本発明によれば、線５０には、いずれの場合もこれらの高強度繊維とこれを囲む金属ケーシングとからなる多数のワイヤ形状の長手方向要素５６が一体化され、これはより詳しくは示されない。ここでの２つの外層において、導体５２、５３および隣接する長手方向要素５６が交互している。もちろん、導体および／または長手方向要素の配置は、線５０をどの程度強くすべきかに応じて異なる方法で選択することもできる。
【００５０】
図６は、本発明におけるような電気ケーブル６０の断面図を示し、その内部は、ケーシング６２および絶縁体を伴う銅導体６３を有する従来の単一または複数の導体６１を備える。この導体６１は、高強度繊維６６とこれらを囲む金属ケーシング６５とを有する長手方向要素６４の２つの層によって覆われている。
【００５１】
図７は、ケーシング７３と、多数の絶縁銅導体７１などと、それと一体化された長手方向要素７４とを備えるさらなる変形例の電気ケーブル７０の断面を示す。高強度繊維７５およびこれらを囲むケーシング７６を有する長手方向要素７４は、銅導体７１と同じ外径を適切に有するため、これらは互いに編まれ得る。３つの長手方向要素７４が、中央の銅導体７１の周囲に織られて配置され、いずれの場合も、これらの銅導体７１間に３つが配置される。この電気ケーブル７０の場合も、これらの長手方向要素の数および配置に違いが与えられてもよい。
【００５２】
もちろん、関係する要件または用途に応じて上で説明したものとは異なるように設計することができる、本発明におけるような長手方向部分を有する通信または電気ケーブルのさらに他の変形例を示すこともできる。理論的には、長手方向要素は、１つ以上のプラスチック層のケーシングを有するように作ることもできる。
【００５３】
図８は、図示のように高強度繊維８４および金属ケーシング８５で作られた螺旋状に曲げられた長手方向要素８１、８２で作られた既知のネット８０で本発明がどのように使用されるかを示す。端部側では、これらのツイストペア長手方向要素８１、８２は、ループ８３によってまたは同様に連結されて互いに接続される。少なくとも２つのこのような長手方向要素は、ストランドとして提供することもできる。
【００５４】
好ましくは、完成した長手方向要素の取り付けの度合いが高い横方向圧力強度を有するように、長手方向要素８１、８２を使用するときの硬さは、充填層を用いて選択され、これにより、これらの螺旋形状の長手方向要素８１、８２は荷重下でも曲げに対する耐性を維持する。
【００５５】
このようなネットおよび／またはメッシュは一般に、アクセスが困難な山岳地帯に設置されるため、これらの軽量化は、これらの輸送および設置の際に大きな利点をもたらす。
【００５６】
図９は、例えば山腹に設置され、落下する石、がれ、木などおよび／または雪崩を受け止めるために使用することができる受け止めネット９０の図を示す。
【００５７】
この受け止めネット９０は、それ自体知られている方法で連結リング９７で作られ、地面に固定される支持および／または保持線９２ならびに支持体９１によって保持される。保持線９２には、好ましくは、衝撃時に追加のエネルギーを吸収する既知の抑制要素９３が設けられる。
【００５８】
受け止めネット９０の連結リング９７はそれぞれ、少なくとも１つの巻かれたワイヤ形状の長手方向要素９８で作られ、好適には、それぞれのリングを把持するクランプ９７’などによって結合される。
【００５９】
本発明によれば、これらの巻かれた長手方向要素９８はそれぞれ、図１０が示すように高強度繊維９４のコアとこれらを囲む金属ケーシング９９とで作られる。
【００６０】
この金属ケーシング９９は、長手方向要素９８に沿って連続的に溶接シーム９９’によってシールされる。好ましくは、これらの溶接シーム９９’は、長手方向要素９８の巻かれた状態でリング９７の内側に配置され、これにより、それらは取り付けられたときに圧縮される。長手方向要素９８はまた、それらの端部で互いに溶接されてもよいし、ロックを備えてもよい。同様に、金属ケーシングを、いずれの場合も、チューブとしてリングに予め形成し、繊維をこのチューブに導入することもできる。
【００６１】
本発明におけるようなこのような長手方向要素は、既知の手段によって作られる保持線９２および抑制要素９３に使用することもできる。
【００６２】
図１１は、互いに一定の距離を置いて軸方向および横方向に配置されたストランド４１、４６から構成されたメッシュ４０の一部を示し、ストランド４１、４６は、いずれの場合も、巻かれた長手方向要素４２、４３で作られている。これは、一方のストランド４６の場合、それに対して角度をなして配置されるストランド４１が通る、メッシュの長さに対応して交差点４７で２つの長手方向要素４８、４９間に、それらを互いに結合する開口４６’を形成する。
【００６３】
本発明によれば、ストランドを形成するように巻かれたこれらの長手方向要素４２、４３はそれぞれ、高強度繊維４４のコアとこれらの周囲の金属ケーシング４５とを備える。
【００６４】
このようなリングネット、メッシュ、または本発明におけるようなこれらの長手方向要素を用いてそれぞれ作られた他の種類のネットおよび／もしくはメッシュは、保護、安全、水産養殖、または建築などのために斜面を安全にすることに特に適している。これらは、軽量化して輸送コストを削減し、これらの設置を容易にするか、またはネットおよびメッシュをより強くより使いやすくするために使用することができる。
【００６５】
図１２は、図１に示されたものと同様に設計され、以下の違いが加えられたさらなる実施形態の長手方向要素１６を示す。
【００６６】
本発明によれば、この長手方向要素１６は、複数の高強度繊維１１のコア１２と、それらを囲む充填層１８と、複合層１９と、これを囲む金属ケーシング１５とを備える。金属ケーシング１５には、その長手方向の範囲に沿って、例えば溶接シーム１５’が設けられる。
【００６７】
繊維１１を囲むこの充填層１８は、好ましくは、発泡体または注型樹脂として使用され得るポリウレタンなどのプラスチックからなる。接着剤である複合層１９は、コア１２および充填層１８と金属ケーシング１５との間にほぼ同じ高さの接合部が作られることを保証し、これにより、長手方向要素１６のコアおよび金属ケーシングにおける引張応力の荷重分散力分布および／または耐荷重能力をもたらす。
【００６８】
したがって、関係する用途に応じて、この充填層１８および／または複合層１９に、それらが運用要件を満たすように、可撓性があり、圧力安定性があり、収縮が小さい材料を使用することができれば好適である。このような適切な材料は、プラスチック、好適にはポリウレタンまたはアラタン（ａｒａｔｈａｎｅ）であるが、他の物質も使用されてよい。これらの長手方向要素が、設置されたときに大きく変動する温度にさらされる場合、材料はまた耐熱性および耐寒性でなければならない。
【００６９】
この充填層１８および／または複合層１９のさらなる要件は、保護物としてのこれらが、チューブとして作られた金属ケーシング１５が溶接されるときに高強度繊維１１が過熱によって弱化せず、さらにはその引張強度を失わないように断熱特性を有さなければならないことである。
【００７０】
本発明の過程において、このような長手方向要素１６は、繊維１１が最初に互いに重ね合わされておよび／または束ねられて充填層１８によって囲まれるように作られる。充填層１８は、それに押し付けられるか、またはそれに樹脂として塗布されて付けられてもよい。金属ケーシング１５は、長手方向プレートなどからある長さに切断され、複合層１９および充填層１８が、場合によりその内側に付けられてもよい。それは、次に、繊維１１との間に遊びがないように繊維１１の周囲に曲げられ、次に、その端部で溶接シーム１５’を固定させることによって長手方向要素１６として作られる。長手方向要素が永久的に耐候性を維持するように、金属ケーシングが気体および水不透過性であることが、作られた時点で検証されなければならない。
【００７１】
もちろん、長手方向要素の特定の特性を達成することができるならば、この充填層および複合層の代わりに、どちらか一方のみを使用することができるし、いずれの場合もただ１つより多くの層を設けることができる。例えば、プラスチックの断熱材料の薄い別個の層を組み込むことができる。
【００７２】
充填層および／または複合層を繊維間のコア内に拡張して、コアをより良好に一緒に保持することも可能である。
【００７３】
本発明は、上で説明した実施形態で十分に示されているが、それは他の変形例によって示すこともできる。
【００７４】
金属ケーシングは、重なった部分でおよび／またはケーシングの突出した端部の表面で接着することもできる。
【００７５】
複合材の損傷または疲労による変化を検出するために、光学的または電気的な測定要素がまた、磁気誘導による損傷の検出を可能にするためにコアにまたは金属ケーシングとコアとの間に挿入されてもよい。一方、現代の測定方法（例えばＭＲＴ）を使用して損傷を検出するために、磁化可能なケーシング材料を使用することができる。
【図１】
2020515726.tif 000003
【図２】
2020515726.tif 000004
【図３】
2020515726.tif 000005
【図４】
2020515726.tif 000006
【図５】
2020515726.tif 000007
【図６】
2020515726.tif 000008
【図７】
2020515726.tif 000009
【図８】
2020515726.tif 000010
【図９】
2020515726.tif 000011
【図１０】
2020515726.tif 000012
【図１１】
2020515726.tif 000013
【図１２】
2020515726.tif 000014
【国際調査報告】
2020515726.tif 000015
2020515726.tif 000016
2020515726.tif 000017
2020515726.tif 000018
2020515726.tif 000019
2020515726.tif 000020